(57)【要約】      （修正有）【課題】システムの設計を複雑にしたり、システムの体積を増加させることなく、太陽光曝露の影響を低減したＨＵＤが開示される。【解決手段】ヘッドアップディスプレイは第１及び第２のハウジングを有し、第１のハウジングは画像生成ユニットと光学系とを備え、第２のハウジングはほぼ平坦なカバーガラス７７２Ａと層７７２Ｂとを備える。画像生成ユニットは画像を出力し、光を放射する光源と各画像に対応するホログラフィック再構成を形成する空間光変調器とを備える。光学系は画像生成ユニットから出力された画像を受け、光コンバイナ６３０を使用して各画像の虚像を生成し、実世界のシーンの光と結合する。第２のハウジングは第１のハウジングと光コンバイナとの間に配置され、カバーガラスは第１のハウジングを保護し、層はカバーガラスによって反射された太陽光がアイボックスから離れるように偏向させる。【選択図】図７
2020013118.tif 000002
【特許請求の範囲】
【請求項１】
乗物用のヘッドアップディスプレイであって、
前記ヘッドアップディスプレイは、第１のハウジングを有し、
前記第１のハウジングは、
画像を出力するように構成された画像生成ユニットであって、光を放射するように構成された光源と、各画像に対応するホログラフィック再構成を形成するために、前記光源からの前記光を受けて、前記空間光変調器に表示された計算機合成光変調パターンにしたがって、前記光を空間的に変調するように構成された空間光変調器とを含むものと、
各画像の虚像を形成するために、前記画像生成ユニットによって出力された前記画像を受けて、光コンバイナを使用して前記画像を中継するように構成された光学系であって、前記光コンバイナが、アイボックスをのぞいている人に結合された画像を提供するために、前記画像生成ユニットによって出力された光を実世界のシーンの光と結合するものと、を備え、
前記ヘッドアップディスプレイは、前記第１のハウジングと光コンバイナとの間に配置された第２のハウジングをさらに備え、
前記第２のハウジングは、前記第１のハウジングを保護するように構成されたほぼ平坦なカバーガラスと、前記光の軌跡を変化させて、前記カバーガラスによって反射された太陽光が、偏向して前記アイボックスから離れるように構成された層とを有する、
ヘッドアップディスプレイ。
【請求項２】
前記層が、第１の角度範囲で入射する前記画像の光を透過し、第２の角度範囲で入射する他の波長の光をほぼ反射する、請求項１に記載のヘッドアップディスプレイ。
【請求項３】
前記層が、前記カバーガラス上に配置される、請求項１〜２のいずれか一項に記載のヘッドアップディスプレイ。
【請求項４】
前記層が、前記カバーガラスの構造化表面層である、請求項１または２に記載のヘッドアップディスプレイ。
【請求項５】
前記層が、ホログラムを含む、請求項１〜４のいずれか一項に記載のヘッドアップディスプレイ。
【請求項６】
前記層が、凹面に対応するフレネル構造を含む、請求項１〜４のいずれか一項に記載のヘッドアップディスプレイ。
【請求項７】
前記層が、メタマテリアルを含む、請求項１〜４のいずれか一項に記載のヘッドアップディスプレイ。
【請求項８】
前記層が、その中心からの距離によって屈折率が異なる、屈折率分布層を含む、請求項１〜４のいずれか一項に記載のヘッドアップディスプレイ。
【請求項９】
前記第２のハウジングが、前記カバーガラスを太陽光から部分的に遮蔽するように構成された光トラップをさらに備える、請求項１〜８のいずれか一項に記載のヘッドアップディスプレイ。
【請求項１０】
前記層が屈折力を有し、各計算機合成光変調パターンが、前記画像の計算機合成ホログラムと、前記層の前記屈折力を相殺する屈折力を有する、ソフトウェアレンズ機能とを含む、請求項１〜９のいずれか一項に記載のヘッドアップディスプレイ。
【請求項１１】
前記第２のハウジングが、前記第１の層と同一の第２の層を有し、その結果、前記第１の層と前記第２の層とが平行面を形成する、請求項１〜１０のいずれか一項に記載のヘッドアップディスプレイ。
【請求項１２】
前記光コンバイナが、乗物のフロントガラスである、請求項１〜１１のいずれか一項に記載のヘッドアップディスプレイ。
【発明の詳細な説明】
【技術分野】
【０００１】
本開示は、ヘッドアップディスプレイに関する。より詳細には、本開示は、ヘッドアップディスプレイの上部ハウジングに関する。さらに詳細には、本開示は、ヘッドアップディスプレイのカバーガラスに関する。本開示は、ヘッドアップディスプレイ用の遮光体または防眩体、その他虚像を生成するシステムに関する。遮光体は、太陽光などの入射する光の反射を抑制する。
【背景技術】
【０００２】
物体から散乱した光は、振幅情報および位相情報の両方を含む。この振幅情報および位相情報は、例えば、ホログラフィック記録、すなわち「ホログラム」を形成するためのよく知られている干渉技法である感光板で捕捉することができ、感光板は干渉縞を含む。ホログラムは、元の物体を表現する二次元または三次元のホログラフィック再構成を形成するため、あるいは画像を再生するために、適切な光を有する照明によって再構成されてもよい。
【０００３】
計算機合成ホログラフィは、干渉工程を数値的にシミュレートしたものであってもよい。計算機合成ホログラム（ＣＧＨ）は、フレネル変換、またはフーリエ変換などの数学的変換に基づく技法で計算されてもよい。この種のホログラムは、フレネルホログラム、またはフーリエホログラムと呼ばれる場合がある。フーリエホログラムは、物体のフーリエ領域表現、あるいは物体の周波数領域表現とみなされてもよい。ＣＧＨはまた、例えば、コヒーレント光線追跡、または点群の技法によって計算されてもよい。
【０００４】
ＣＧＨは、入射光の振幅および／または位相を変調するように構成された、空間光変調器（ＳＬＭ）上で符号化されてもよい。光変調は、例えば、電気的にアドレス可能な液晶、光学的にアドレス可能な液晶、またはマイクロミラーを用いて実現されてもよい。
【０００５】
ＳＬＭは、個別にアドレス可能な複数の画素を含み得て、これはセルまたは素子と呼ばれてもよい。光変調方式は、バイナリ、多値変調、または連続変調であってもよい。あるいは、装置が連続していてもよく（すなわち、画素で構成されていない）、したがって光変調は、装置にまたがって連続していてもよい。ＳＬＭは反射型であってもよく、つまり、変調光は反射してＳＬＭから出力されたものであってもよい。ＳＬＭは同様に透過型であってもよく、つまり、変調光は透過してＳＬＭから出力されたものであってもよい。
【０００６】
説明した技術を使用して、画像化するためのホログラフィックプロジェクタが設けられてもよい。このようなプロジェクタは、例えば、ニアアイ装置を含む、ヘッドアップディスプレイ「ＨＵＤ」、頭部装着型ディスプレイ「ＨＭＤ」などに用途を見出している。本明細書では、改善したＨＵＤが開示される。
【０００７】
遠位に虚像を生成するＨＵＤは通常、画像生成ユニットから画像を中継するための光学系を備える。実装に応じて、光学系の光学素子は、ガラス／プラスチックのレンズ、ミラー、またはこの両方の組み合わせからなっていてもよい。太陽光によって、ディスプレイ装置を含むＨＵＤの構成部品が損傷する場合があるが、本開示は、ＨＵＤシステムの構成部品からの太陽光反射に関し、その理由は、そのような反射が画像品質を害する場合があるためである。太陽光反射の問題は、特にＨＵＤシステムにおいて顕著であり、例えば、乗物のフロントガラスにフレアが生じる可能性がある。反射防止コーティングのない、ガラス表面からのわずか数パーセントの太陽光反射が、運転者を眩惑する可能性は十分ある。
【０００８】
太陽の位置はさまざまに異なるが、限られた範囲内にあるので、ダッシュボードにあるＨＵＤの配向を最適化すれば、この範囲を狭めることができる。範囲内の太陽光をすべて遮断する必要はないが、風防ガラスに反射する可能性のある太陽光を遮断することが必要になる。例えば、車の内部の屋根で反射した太陽光の一部は許容することができる。
【発明の概要】
【発明が解決しようとする課題】
【０００９】
しかしながら、太陽光反射の問題により、通常はスペースが非常に限られているダッシュボードに、ＨＵＤを一体化することが著しく制限される。
【００１０】
このような太陽光曝露の問題を軽減するために、さまざまな解決策が試みられてきた。例えば、太陽光を防ぐためにシャッターやバッフルが使用されてきたが、なおシステムに侵入する。システム内の太陽光の強度、特に、ディスプレイ装置に到達する有害な波長の強度を低減するために、通常は光中継システムのミラーの１つである、光学部品はコーティングされることができる。知られている例は、光中継システムで、いわゆる「コールド」ミラーを使用することである。ホットスポットを削減するために、ディスプレイ装置に熱排出層を使用してもよく、ＨＵＤは、システム内で集束された太陽光のスポットサイズを大きくするために、デコリメート（ｄｅ−ｃｏｌｌｉｍａｔｅ）することができる。
【課題を解決するための手段】
【００１１】
本明細書では、システムの設計を著しく複雑にしたり、システムの体積を大幅に増加させたりすることなく、太陽光曝露の影響を低減する機能を含む、改善されたＨＵＤが開示される。
【００１２】
本開示の態様は、添付の特許請求の範囲の独立クレームで定義される。
【００１３】
本開示は、表示用の画像を生成するために、レーザーに基づくシステム、より詳細には、画像のホログラムを計算することによって画像を生成し、これをＳＬＭに表示して、表示されたホログラムをコヒーレント光で照明する、画像生成装置を使用する。しかしながら、説明される技術は、自動車用のＨＵＤに対して特に好都合であるが、任意の種類のヘッドアップディスプレイに適用可能なことが、以下の記述から当業者には理解されよう。
【００１４】
説明されるＨＵＤは、ホログラフィックプロジェクタに基づき、動的に再構成可能である。複数の表示されたホログラムを使用して、異なる焦点面深度に、対応する複数の二次元画像を形成してもよく、その結果、これらの画像は、見る人の目から異なる距離に表示される。例えば、２Ｄ画像はそれぞれ、異なるレンズ度数でホログラフ的に符号化されてもよい。このようにして、ＨＵＤは、見る人の目から異なる実効距離で、ほぼ二次元の画像を表示することができる。画像平面は、色または色の組み合わせが異なっていてもよく、色の異なる画像を異なる深度で符号化するために２つの異なるホログラムを使用することによって、これらをＳＬＭに連続的に表示し、光源の色を同期して制御する。より重要な画像（コード）を前景に配置したり、色を使って強調したりできるので、異なる色で、かつ／または異なる視覚的奥行きで画像を表示する性能は有用である。
【００１５】
本明細書では、乗物用のヘッドアップディスプレイが提供される。ヘッドアップディスプレイは、第１のハウジングと、第２のハウジングとを有する。第１のハウジングは、画像生成ユニットと、光学系とを備える。第２のハウジングは、ほぼ平坦なカバーガラスと、層とを備える。画像生成ユニットは、画像を出力するように構成される。画像生成ユニットは、光源と、空間光変調器とを備える。光源は、光を放射するように構成される。空間光変調器は、各画像に対応するホログラフィック再構成を形成するために、光源から光を受けて、空間光変調器に表示された計算機合成光変調パターンにしたがって、光を空間光変調するように構成される。光学系は、画像生成ユニットによって出力された画像を受け、各画像の虚像を生成するために、光コンバイナを使用して画像を中継（または画像化）するように構成される。光コンバイナは、アイボックスをのぞいている人に結合された画像を表示するように、画像生成ユニットによって出力された光を実世界のシーンの光と結合する。第２のハウジングは、第１のハウジングと、光コンバイナとの間に配置される。ほぼ平坦なカバーガラスは、第１のハウジングを保護するように構成される。層は、光の軌跡を変化させて、カバーガラスによって反射された太陽光が、偏向してアイボックスから離れるように構成される。
【００１６】
層は、ほぼ平面の光学素子、または素子の一部であり、光の軌跡を変化させて、カバーガラスによって反射された太陽光を、直接的または間接的にアイボックスに到達させないように構成される。層は薄くてもよく、例えば、５ｍｍ未満または２ｍｍ未満など、厚さが１０ｍｍ未満であってもよい。カバーガラスによって反射された太陽光が、結果的にアイボックスに到達する場合がある、２つの臨界光路がある。第１の臨界光路は、カバーガラスによって、直接アイボックスの中に反射された太陽光に相当する。直接的という言葉は、第１の臨界光路が、そのカバーガラスからアイボックスまでの光路上に、いかなる別の反射、または中間の反射も含まないことを示すために使用される。第２の臨界光路は、カバーガラスからアイボックスへ間接的に反射された太陽光に相当する。より詳細には、第２の臨界光路は、カバーガラスによって光コンバイナ（例えば、フロントガラス）に反射されてから、光コンバイナによってアイボックスの中に反射される太陽光に相当する。間接的という言葉は、第２の臨界光路が、そのカバーガラスからアイボックスまでの光路上に、光コンバイナからの別の反射、または間接的な反射を含むことを示すために使用される。特に、第２のハウジングは、光の軌跡を変化させるように構成された層を有し、その結果、第２の臨界光路には太陽光が入らない。具体的には、第２の臨界光路に入ろうとする太陽光は、アイボックスと交差しない別の光路に偏向される。言い換えれば、層によって、カバーガラスで反射されてから光コンバイナで反射される太陽光線を、確実にアイボックスから離す方向に導く。層によって、第２のハウジングへの太陽光入射が、カバーガラスおよび光コンバイナで反射して、アイボックスに入ることがないようにする。層は、カバーガラスで反射されてから光コンバイナで反射される太陽光線が、偏向してアイボックスから離れるように、カバーガラスからの太陽光の反射角度を小さくしてもよい。本開示によれば、カバーガラス、および光コンバイナによって反射されて、見る人の方に向かう太陽光線は、アイボックスと交差しない。
【００１７】
湾曲したカバーガラスを、本開示による（ほぼ）平坦なカバーガラスと層とに置き換えることに関しては、少なくとも２つの非常に大きい利点がある。第一に、ＨＵＤにおけるヘッドアップディスプレイが占める体積が小さくなる。具体的には、カバーガラス下部の体積（自動車産業において重要なメトリックとなる）が削減される。第二に、平坦な表面を加工したり、または平坦な表面に層を配置したりするほうが、より容易である。具体的には、平坦なカバーガラスは構造化表面層を有するように加工でき、あるいは層は、例えば堆積またはコーティングして、容易に配置することができる。
【００１８】
層は、第１の角度範囲で入射する画像の光を透過し、第２の角度範囲で入射する他の波長の光をほぼ反射する。
【００１９】
ほぼ平坦なカバーガラスを提供することによって、層が別の機能を持つことが可能になる。層は、波長選択的、および／または角度選択的であってもよい。層の第１の（底）面は、明確に画定された第１の角度範囲で、画像の光を受けるように構成される。層は、第１の角度範囲で受けた画像の光をほぼ透過するように設計されてもよい。層の第２の（上）面は、第２の角度範囲で太陽光を受けるように構成される。第２の範囲は、第１の範囲よりも大きくてもよい。第１の範囲は、第２の範囲のサブセットであってもよい。層は、第２の角度範囲で受けた他の波長をほぼ反射するように設計されてもよい。層は、第２の角度範囲で受けた赤外光をほぼ反射してもよい。したがってカバーガラスは、太陽光がミラーまたは画像生成ユニットの損傷などの問題を引き起こさないように、受けた太陽光の少なくとも一部が第１のハウジングに入らないよう防いでもよい。ＨＵＤから出る有効角度に角度選択を適用することによって、投射画像がほとんど影響を受けないようにできる一方で、入射する太陽光線は、反射してＨＵＤから離れるようにすることができる。例えば、ホログラムその他の回折性の光学素子は、１組の色のうちの１つ以上に対して、ある角度範囲を通過するように容易に構成することができる。
【００２０】
層は、カバーガラス上に配置されてもよい。例えば、層は、カバーガラスに堆積させたコーティングであってもよく、あるいは層に接着された別の部品であってもよい。あるいは層は、非固定でカバーガラス上に配置されてもよい。画像は仮想性であるため、層を画像平面から離れた平面に配置して、目に見えないようにすることが可能になる。
【００２１】
あるいは、層は、カバーガラスの構造化表面層であってもよい。したがって、カバーガラスと層とは一体的な構造であり、ヘッドアップディスプレイを構築する際に便利である。このような例では、カバーガラスが構造化表面層を有すると言ってもよい。
【００２２】
層は、ホログラム、フレネル構造、メタマテリアル、または屈折率分布層を含むグループから、少なくとも１つを選択したものであってもよい。ホログラムは、媒体内に固定された記録物であってもよい。より詳細には、ホログラムは、記録媒体に記録された、固定された回折パターンであってもよい。ホログラムは、波長選択性および／または角度選択性など、回折パターンに本質的に含まれ得る付加的な機能がある点が有利であろう。例えば、ホログラムは、体積ホログラムであってもよい。ホログラムは、フーリエ変換ホログラムであってもよい。この場合、各光変調パターンは、画像の計算機合成フーリエ変換ホログラムと、ソフトウェアレンズ機能との合計を含む。ホログラムは、フレネルホログラムであってもよい。この場合、各計算機合成光変調パターンは、ソフトウェアレンズ機能を組み込んだ、計算機合成フレネル変換ホログラムを含む。ソフトウェアレンズ機能は、１〜１０ジオプトリなど、１〜２０ジオプトリの屈折力を有してもよい。ソフトウェアレンズ機能は、バイナリまたは多値変調、振幅または位相フレネルレンズ機能などの、フレネルレンズ機能であってもよい。あるいは、層は、凹面に対応するフレネル構造であってもよい。フレネル構造は、波長選択性および／または角度選択性を提供するために、コーティングされてもよい。屈折率分布層は、その中心からの距離によって異なる屈折率を有してもよい。
【００２３】
第２のハウジングは、カバーガラスを太陽光から部分的に遮蔽するように構成された、光トラップをさらに備えてもよい。つまり、光トラップは、入射する太陽光線を遮断するように構成される。したがって、直接的かつ間接的にカバーガラスで反射した太陽光は、アイボックスに到達しない。好適には、ほぼ平坦なカバーガラスが光トラップを備えることにより、層に課される要件が小さくなる。特に、必要とされる層の複雑性、そして厚さが低減される。光トラップは、カバーガラスにほぼ隣接していてもよい。
【００２４】
層は、正の屈折力などの屈折力を有してもよい。各計算機合成光変調パターンは、画像の計算機合成ホログラム、およびソフトウェアレンズ機能を含む。ソフトウェアレンズ機能は、層の屈折力を相殺する屈折力を有してもよい。アイボックスから離れるようにステアリングするのに必要な偏向量を減少させるために、カバーガラスによって反射された太陽光に対応する、光のフットプリントの大きさを減少させれば好適であろう。しかしながら、層に付与された屈折力は、ＨＵＤ画像に影響を及ぼす。したがって、層の屈折力を相殺するために、計算機合成ホログラムに追加するなどして、ソフトウェアレンズ機能が計算機合成ホログラムと組み合わされてもよい。層は正の屈折力を有してもよく、ソフトウェアレンズ機能は、負の屈折力を有してもよい。層の屈折力は、ソフトウェアレンズ機能の屈折力と等しくてもよく、かつ逆であってもよい。
【００２５】
あるいは、第１の層を補うために、第２の層を備えてもよい。第１の層と第２の層とが、カバーガラスの平行面のような平行な層を形成するように、第２の層は第１の層と同一であってもよい。層が平行なことにより、ＨＵＤ画像に屈折力が付与されないことが確実になり、そのためＨＵＤ画像を修正する必要がなくなる。言い換えれば、光学系によって形成された像の画像は、層の屈折力に影響されない。第１の層がカバーガラスの第１の主面の第１のフレネル構造であり、第２の層がカバーガラスの第２の主面の第２のフレネル構造であってもよく、第１および第２のフレネル構造は、等しくかつ平行である。
【００２６】
光コンバイナは、乗物のフロントガラスまたは風防ガラスであってもよい。この場合、ヘッドアップディスプレイと乗物のフロントガラスとを備える、ヘッドアップディスプレイシステムが提供される。あるいは光コンバイナは、ヘッドアップディスプレイの構成部品であってもよい。
【００２７】
異なる実施形態、および一群の実施形態が、以下の詳細な説明の中で個別に開示される場合があるが、任意の実施形態または一群の実施形態の任意の特徴は、任意の実施形態または一群の実施形態の他の特徴、または特徴の組み合わせと結合されてもよい。つまり、本開示で開示された特徴のあらゆる可能な組み合わせ、および変更が予想される。
【００２８】
本開示の全体を通じて、波長選択性および角度選択性を含む、光に対するさまざまな種類の「選択性」について言及される。「選択性」という用語は、光に反応する構成要素を示すために使用され、波長または角度などの、受けた光を特徴付ける少なくとも１つのパラメータに依存する。「レーザーライン」という用語は、中心波長、および３０ｎｍ未満、任意で１５ｎｍ未満、さらに任意で５ｎｍ未満の半値全波（ｆｕｌｌ−ｗａｖｅ  ｈａｌｆ−ｍａｘｉｍｕｍ）を有する、狭帯域を指すために使用される。
【００２９】
「画像の光」という用語は、ここでは画像を形成して受光面から出る（例えば、散乱する）光を指すために使用される。言い換えれば、「画像の光」は、画像を形成する光である。「画像の光」は、光学系とフロントガラスとによって画像化される。「画像の光」は、単色または多色であってもよい。「画像の光」は、混成色であってもよい。例えば、「画像の光」は、赤色光、緑色光、および青色光を含んでもよい。「画像の光」は、偏光されてもよい。
【００３０】
「コーティング」について言及しているが、波長選択性を与えるコーティングなどの各コーティングは、複数の誘電体層または個別の誘電体コーティングなどの、複数の層または個別のコーティングを有してもよいことが当業者にはよく知られている。
【００３１】
「ホログラム」という用語は、物体に関する振幅情報および／または位相情報を含む、記録物を指すのに用いられる。「ホログラフィック再構成」という用語は、ホログラムを照明することによって形成される、物体の光学的再構成を指すのに用いられる。「再生平面」という用語は、ここではホログラフィック再構成が完全に形成される空間内の平面を指すために使用される。「再生フィールド」という用語は、ここでは空間光変調器から空間的に変調された光を受けることができる、再生平面の副領域を指すために使用される。「画像」および「画像領域」という用語は、ホログラフィック再構成を形成する光で照明される、再生フィールドの領域を指す。実施形態では、「画像」は、「画像画素」と呼ばれる場合がある、離散したスポットを含んでもよい。
【００３２】
「符号化」、「書き込み」、または「アドレス」という用語は、各画素の変調レベルをそれぞれ決定する、それぞれの複数の制御値を、ＳＬＭの複数の画素に提供する工程を述べるのに用いられる。ＳＬＭの画素は、複数の制御値を受けることに応じて、光変調分布を「表示する」ように構成されると言ってもよい。
【００３３】
許容可能な品質のホログラフィック再構成は、元の物体に関する位相情報のみを含む「ホログラム」から形成できることがわかっている。このようなホログラフィック記録物は、位相限定ホログラムと呼ばれてもよい。実施形態は位相限定ホログラムに関連しているが、本開示は、振幅限定ホログラフィにも同等に適用可能である。
【００３４】
本開示はまた、元の物体に関する振幅情報と位相情報とを使用する、ホログラフィック再構成の形成にも同等に適用可能である。いくつかの実施形態では、これは元の物体に関する振幅情報および位相情報の両方を含む、いわゆる完全複素ホログラム（ｆｕｌｌｙ  ｃｏｍｐｌｅｘ  ｈｏｌｏｇｒａｍ）を使用する複素変調によって実現される。このようなホログラムは、ホログラムの各画素に割り当てられた値（グレーレベル）が振幅成分および位相成分を有するため、完全複素ホログラムと呼ばれてもよい。各画素に割り当てられた値（グレーレベル）は、振幅成分および位相成分の両方を有する複素数で表されてもよい。いくつかの実施形態では、完全複素計算機合成ホログラムが計算される。
【００３５】
計算機合成ホログラム、または空間光変調器の位相値、位相成分、位相情報、あるいは単に画素の位相を、「位相遅延」の省略表現として参照してもよい。つまり、説明される位相値はいずれも、実際には、その画素によって提供される位相遅延の量を表す、（例えば、０〜２πの範囲の）数字である。例えば、π／２の位相値を有するものとして説明される空間光変調器の画素は、受けた光の位相をπ／２ラジアン変化させる。いくつかの実施形態では、空間光変調器の各画素は、複数の可能な変調値（例えば、位相遅延値）のうちの１つで動作可能である。「グレーレベル」という用語は、複数の使用可能な変調レベルを指すのに用いられてもよい。例えば、異なる位相レベルが異なるグレーの諧調を提供しない場合であっても、「グレーレベル」という用語は、位相限定変調器において、複数の使用可能な位相レベルを指すのに便宜上使用されてもよい。また、「グレーレベル」という用語は、複素変調器における、複数の使用可能な複素変調レベルを指すのに便宜上用いられてもよい。
【００３６】
異なる実施形態、および一群の実施形態が、以下の詳細な説明の中で個別に開示される場合があるが、任意の実施形態または一群の実施形態の任意の特徴は、任意の実施形態または一群の実施形態の他の特徴、または特徴の組み合わせと結合されてもよい。つまり、本開示で開示された特徴のあらゆる可能な組み合わせ、および変更が予想される。
【００３７】
特定の実施形態について、添付の図面を参照しながら単なる例として説明する。
【図面の簡単な説明】
【００３８】
【図１】スクリーンにホログラフィック再構成を生成する、反射型ＳＬＭの概略図である。
【図２Ａ】例示的なＧｅｒｃｈｂｅｒｇ−Ｓａｘｔｏｎタイプのアルゴリズムの第１反復を示す。
【図２Ｂ】例示的なＧｅｒｃｈｂｅｒｇ−Ｓａｘｔｏｎタイプのアルゴリズムの、第２反復および後続の反復を示す。
【図２Ｃ】例示的なＧｅｒｃｈｂｅｒｇ−Ｓａｘｔｏｎタイプのアルゴリズムの、代替的な第２反復および後続の反復を示す。
【図３】反射型ＬＣＯＳ  ＳＬＭの概略図である。
【図４】車などの乗物内にあるＨＵＤを示す。
【図５】例示的な「ホット／コールドミラー」の光学性能を示す。
【図６Ａ】湾曲したカバーガラスを示す。
【図６Ｂ】湾曲したカバーガラス、およびカバーガラスによって反射された太陽光の２つの臨界光路を示す。
【図７】ほぼ平坦なカバーガラスを備える、本開示の実施形態を示す。
【図８Ａ】いくつかの実施形態による、例示的なフレネル構造を示す。
【図８Ｂ】いくつかの実施形態による、例示的な別のフレネル構造を示す。
【００３９】
全図面を通じて、同じ部品、または類似の部品を参照するために同じ参照符号が使用される。
【発明を実施するための形態】
【００４０】
本発明は、以下で説明される実施形態に限定されることはなく、添付の特許請求の範囲の全範囲に及ぶ。つまり、本発明は、異なる形態で具体化されてもよく、説明されている実施形態に限定されると解釈されるべきではなく、これらの実施形態は、例示の目的で提示されているものである。
【００４１】
別の構造の上部／下部に形成される、または他の構造の上／下に形成されると説明されている構造は、構造が互いに接触している場合、およびさらにこれらの間に第３の構造が配置される場合を含むと解釈されるべきである。
【００４２】
時間関係の説明において、例えば、事象の時間的順序が「後」、「後続の」、「次の」、「前」などと記載されているときは、特に明記しない限り、本開示は連続的、および非連続的な事象を含むと解釈されるべきである。例えば、「ちょうど」、「即時に」、または「直接的に」などの言葉が使用されていない限り、この記述は連続的でない場合を含むと解釈されるべきである。
【００４３】
様々な要素を説明するために、「第１の」、「第２の」などの用語が本明細書で使用されている場合があるが、このような要素は、これらの用語によって限定されるものではない。このような用語は、１つの要素を別の要素と区別するために使用されているにすぎない。例えば、添付の特許請求の範囲から逸脱することなく、第１の要素を第２の要素と呼ぶ場合があり、同様に、第２の要素を第１の要素と呼ぶ場合がある。
【００４４】
異なる実施形態の特徴は、部分的または全体的に、互いに結合される、あるいは組み合わされてもよく、互いに様々に相互運用されてもよい。いくつかの実施形態は、互いに独立して実施されてもよく、あるいは共依存の関係でともに実施されてもよい。
【００４５】
光学配置
【００４６】
図１は、計算機合成ホログラムが、単一の空間光変調器で符号化される実施形態を示す。計算機合成ホログラムは、再構成のための物体のフーリエ変換である。したがって、ホログラムは、物体のフーリエ領域表現、または周波数領域表現、あるいはスペクトル領域表現と言われる場合がある。この実施形態では、空間光変調器は、シリコン上の反射型液晶（ｌｉｑｕｉｄ  ｃｒｙｓｔａｌ  ｏｎ  ｓｉｌｉｃｏｎ、ＬＣＯＳ）装置である。ホログラムは、空間光変調器で符号化され、ホログラフィック再構成は、再生フィールド、例えば、スクリーンまたはディフューザなどの受光面で形成される。
【００４７】
光源１１０、例えば、レーザーまたはレーザーダイオードは、コリメーティングレンズ１１１を介してＳＬＭ１４０を照明するように配置される。コリメーティングレンズにより、ＳＬＭに入射する、ほぼ平面の光の波面が生じる。図１では、波面の方向はオフノーマルである（例えば、透明層の平面に対する真の直角から２度または３度離れている）。しかしながら、他の実施形態では、ほぼ平面の波面は垂直入射で提供され、入力光路と出力光路とを分離するために、ビームスプリッタ構成が用いられる。図１に示す実施形態では、光源からの光がＳＬＭの反射裏面で反射されて光変調層と相互作用して、出口波面１１２を形成する構成になっている。出口波面１１２は、フーリエ変換レンズ１２０を含む光学素子に印加され、スクリーン１２５で焦点を結ぶ。より詳細には、フーリエ変換レンズ１２０は、ＳＬＭ１４０から変調光のビームを受けて周波数−空間変換を行い、スクリーン１２５でホログラフィック再構成を生成する。
【００４８】
特に、この種のホログラフィでは、ホログラムの各画素が再構成全体に寄与する。再生フィールドの特定の点（または画像画素）と、特定の光変調素子（またはホログラム画素）との間に、一対一相関は存在しない。言い換えれば、光変調層を出る変調光は、再生フィールド全体に分散される。
【００４９】
このような実施形態では、空間におけるホログラフィック再構成の位置は、フーリエ変換レンズのジオプトリ度数（集束力）によって決定される。図１に示す実施形態では、フーリエ変換レンズは、物理レンズである。つまり、フーリエ変換レンズは光学的なフーリエ変換レンズであり、フーリエ変換は光学的に行われる。どのようなレンズでもフーリエ変換レンズとして機能できるが、レンズの性能によって、行うフーリエ変換の精度が制限される。当業者であれば、光学的なフーリエ変換を行うためのレンズの使用方法について理解しているであろう。
【００５０】
ホログラム計算
【００５１】
いくつかの実施形態では、計算機合成ホログラムはフーリエ変換ホログラム、すなわち単にフーリエホログラム、またはフーリエに基づくホログラムであり、正レンズのフーリエ変換特性を使用することによって、画像が遠視野に再構築される。フーリエホログラムは、再生平面の所望のライトフィールドをフーリエ変換して、レンズ平面に戻すことによって計算される。計算機合成フーリエホログラムは、フーリエ変換を用いて計算されてもよい。
【００５２】
フーリエ変換ホログラムは、Ｇｅｒｃｈｂｅｒｇ−Ｓａｘｔｏｎアルゴリズムなどのアルゴリズムを用いて計算されてもよい。さらに、Ｇｅｒｃｈｂｅｒｇ−Ｓａｘｔｏｎアルゴリズムは、（写真などの）空間領域における振幅限定情報から、フーリエ領域におけるホログラム（すなわち、フーリエ変換ホログラム）を計算するために使用されてもよい。物体に関する位相情報は、空間領域における振幅限定情報から効率的に「検索」される。いくつかの実施形態では、計算機合成ホログラムは、Ｇｅｒｃｈｂｅｒｇ−Ｓａｘｔｏｎアルゴリズム、またはその変形を用いて、振幅限定情報から計算される。
【００５３】
Ｇｅｒｃｈｂｅｒｇ−Ｓａｘｔｏｎアルゴリズムは、平面ＡおよびＢのそれぞれにおける、光ビームの輝度断面ＩＡ（ｘ，ｙ）およびＩＢ（ｘ，ｙ）が知られていて、ＩＡ（ｘ，ｙ）およびＩＢ（ｘ，ｙ）が、１つのフーリエ変換によって関連付けられるときの状況を考慮する。所与の輝度断面で、平面ＡおよびＢにおける位相分布のそれぞれの近似値、ΨＡ（ｘ，ｙ）およびΨＢ（ｘ，ｙ）が求められる。Ｇｅｒｃｈｂｅｒｇ−Ｓａｘｔｏｎアルゴリズムでは、反復過程に従うことによって、この問題の解決策が見つかる。より詳細には、Ｇｅｒｃｈｂｅｒｇ−Ｓａｘｔｏｎアルゴリズムは、空間領域とフーリエ（スペクトルまたは周波数）領域との間で、ＩＡ（ｘ，ｙ）およびＩＢ（ｘ，ｙ）を表すデータセット（振幅および位相）を繰り返し転送している間に、空間制限およびスペクトル制限を反復的に適用する。スペクトル領域における、対応する計算機合成ホログラムは、アルゴリズムを少なくとも１回反復することによって得られる。アルゴリズムは、入力画像を表現するホログラムを生成するように収束され構成される。ホログラムは、振幅限定ホログラム、位相限定ホログラム、または完全複素ホログラムであってもよい。
【００５４】
いくつかの実施形態では、位相限定ホログラムは、例えば、参照することによってその全体が本明細書に組み込まれる、英国特許第２，４９８，１７０号明細書、または英国特許第２，５０１，１１２号明細書で説明されている、Ｇｅｒｃｈｂｅｒｇ−Ｓａｘｔｏｎアルゴリズムに基づくアルゴリズムを用いて計算される。しかしながら、本明細書で開示される実施形態は、単なる例として、位相限定ホログラムの計算について説明する。このような実施形態では、Ｇｅｒｃｈｂｅｒｇ−Ｓａｘｔｏｎアルゴリズムは、既知の振幅情報Ｔ［ｘ，ｙ］を生じさせるデータセットの、フーリエ変換の位相情報Ψ［ｕ，ｖ］を検索し、振幅情報Ｔ［ｘ，ｙ］は、対象画像（写真など）を表す。大きさ（ｍａｇｎｉｔｕｄｅ）および位相は、フーリエ変換では本来組み合わされるので、変換された大きさおよび位相は、計算されたデータセットの精度についての有用な情報を含む。したがって、アルゴリズムは、振幅情報および位相情報の両方のフィードバックを伴って、反復的に使用されてもよい。しかしながら、このような実施形態では、画像平面で対象画像のホログラフィック表現を形成するために、位相情報Ψ［ｕ，ｖ］のみがホログラムとして用いられる。ホログラムは、位相値のデータセット（２Ｄ配列など）である。
【００５５】
他の実施形態では、完全複素ホログラムを計算するために、Ｇｅｒｃｈｂｅｒｇ−Ｓａｘｔｏｎアルゴリズムに基づくアルゴリズムが用いられる。完全複素ホログラムは、大きさ成分と位相成分とを有するホログラムである。ホログラムは、複素データ値の配列を含む、（２Ｄ配列などの）データセットであり、各複素データ値は、大きさ成分と位相成分とを含む。
【００５６】
いくつかの実施形態では、アルゴリズムは複素データを処理し、フーリエ変換は複素フーリエ変換である。複素データは、（ｉ）実数成分および虚数成分、または（ｉｉ）大きさ成分および位相成分を含むものとみなされてもよい。いくつかの実施形態では、複素データの２つの成分は、アルゴリズムの多様な段階で異なって処理される。
【００５７】
図２Ａは、位相限定ホログラムを計算するためのいくつかの実施形態による、アルゴリズムの第１反復を示す。アルゴリズムに対する入力は、画素の２Ｄ配列、またはデータ値を含む入力画像２１０であり、各画素またはデータ値は、大きさ、すなわち振幅値である。つまり、入力画像２１０の各画素またはデータ値は、位相成分を有していない。入力画像２１０は、したがって、大きさ限定分布、すなわち振幅限定分布、あるいは輝度限定分布とみなされてもよい。入力画像２１０などの例は、写真、またはフレームの時系列を含む、１フレームの動画である。アルゴリズムの第１反復は、開始複素データセット（ｓｔａｒｔｉｎｇ  ｃｏｍｐｌｅｘ  ｄａｔａ  ｓｅｔ）を形成するために、ランダム位相分布（またはランダム位相シード）２３０を用いて、入力画像の各画素にランダム位相値を割り当てることを含む、データ形成ステップ２０２Ａから開始し、セットの各データ素子は、大きさおよび位相を含む。開始複素データセットは、空間領域における入力画像を表すと言ってもよい。
【００５８】
第１の処理ブロック２５０は、開始複素データセットを受けて複素フーリエ変換を行い、フーリエ変換された複素データセットを形成する。第２の処理ブロック２５３は、フーリエ変換された複素データセットを受けて、ホログラム２８０Ａを出力する。いくつかの実施形態では、ホログラム２８０Ａは、位相限定ホログラムである。このような実施形態では、第２の処理ブロック２５３は、各位相値を量子化し、各振幅値を１に設定して、ホログラム２８０Ａを形成する。各位相値は、空間光変調器の画素で表現され得る位相レベルに従って量子化され、空間光変調器は、位相限定ホログラムを「表示する」ために用いられる。例えば、空間光変調器の各画素が、２５６の異なる位相レベルを提供する場合、ホログラムの各位相値は、２５６の可能な位相レベルのうち１つの位相レベルに量子化される。ホログラム２８０Ａは、入力画像を表現する、位相限定フーリエホログラムである。他の実施形態では、ホログラム２８０Ａは、受けたフーリエ変換複素データセットから得られた、（それぞれが振幅成分および位相成分を含む）複素データ値の配列を含む、完全複素ホログラムである。いくつかの実施形態では、第２の処理ブロック２５３は、ホログラム２８０Ａを形成するために、各複素データ値を、複数の許容可能な複素変調レベルうちの１つに制限する。制限するステップは、各複素データ値を、複素平面内の最も近い許容可能な複素変調レベルに設定することを含んでもよい。ホログラム２８０Ａは、スペクトル領域、またはフーリエ領域、あるいは周波数領域における入力画像を表現すると言ってもよい。いくつかの実施形態では、アルゴリズムはこの時点で停止する。
【００５９】
しかしながら、他の実施形態では、アルゴリズムは、図２Ａの点線矢印で示されているように継続する。言い換えれば、図２Ａの点線矢印に従ったステップは任意である（すなわち、すべての実施形態で必須というわけではない）。
【００６０】
第３の処理ブロック２５６は、第２の処理ブロック２５３から修正された複素データセットを受けて逆フーリエ変換を行い、逆フーリエ変換された複素データセットを形成する。逆フーリエ変換された複素データセットは、空間領域における入力画像を表すと言ってもよい。
【００６１】
第４の処理ブロック２５９は、逆フーリエ変換された複素データセットを受けて、大きさ値２１１Ａの分布、および位相値２１３Ａの分布を抽出する。必要に応じて、第４の処理ブロック２５９は、大きさ値２１１Ａの分布を評価する。具体的には、第４の処理ブロック２５９は、逆フーリエ変換された複素データセットの大きさ値２１１Ａの分布を入力画像２１０と比較してもよく、入力画像２１０は、それ自体が大きさ値の分布であることは言うまでもない。大きさ値２１１Ａの分布と、入力画像２１０との間の差が十分に小さい場合、第４の処理ブロック２５９は、ホログラム２８０Ａを許容できると判断してもよい。つまり、大きさ値２１１Ａの分布と、入力画像２１０との間の差が十分に小さい場合、第４の処理ブロック２５９は、ホログラム２８０Ａが入力画像２１０を十分に正確に表現していると判断してもよい。いくつかの実施形態では、比較の目的のために、逆フーリエ変換された複素データセットの位相値２１３Ａの分布は無視される。大きさ値２１１Ａの分布と、入力画像２１０とを比較する別の方法がいくつか使用されてもよく、本開示がいかなる特定の方法にも限定されないことは理解されよう。いくつかの実施形態では、平均二乗偏差が計算され、平均二乗偏差が閾値未満の場合、ホログラム２８０Ａは、許容されるものとみなされる。第４の処理ブロック２５９が、ホログラム２８０Ａを許容できないと判断した場合、さらにアルゴリズムの反復が行われてもよい。しかしながら、この比較するステップは必須ではなく、他の実施形態では、行われるアルゴリズムの反復数は、予め決定されるか、または予め設定され、あるいはユーザによって定義される。
【００６２】
図２Ｂは、アルゴリズムの第２反復、およびそれ以上のアルゴリズムの反復を示す。前述した反復の、位相値２１３Ａの分布は、アルゴリズムの処理ブロックを介してフィードバックされる。大きさ値２１１Ａの分布は、入力画像２１０の大きさ値の分布を優先して拒絶される。第１反復では、データ形成ステップ２０２Ａは、入力画像２１０の大きさ値の分布を、ランダム位相分布２３０と結合することによって、第１の複素データセットを形成した。しかしながら、第２反復および後続の反復では、データ形成ステップ２０２Ｂは、（ｉ）前述したアルゴリズムの反復からの位相値２１３Ａの分布を、（ｉｉ）入力画像２１０の大きさ値の分布と結合することによって、複素データセットを形成することを含む。
【００６３】
図２Ｂのデータ形成ステップ２０２Ｂによって形成された複素データセットは、次に、図２Ａを参照して説明した方法と同様の方法で処理されて、第２反復のホログラム２８０Ｂを形成する。処理の説明は、したがってここでは繰り返さない。アルゴリズムは、第２反復のホログラム２８０Ｂが計算されたときに停止してもよい。しかしながら、任意の回数で、アルゴリズムのさらなる反復が行われてもよい。第３の処理ブロック２５６は、第４の処理ブロック２５９が必要とされる場合、あるいはさらなる反復が必要とされる場合にのみ必要になることは理解されよう。出力ホログラム２８０Ｂは通常、反復されるごとに良好になる。しかしながら、実際には、目に見える改善がみられない時点や、処理時間が増えることの悪影響が、さらなる反復を行うことの利益を上回る時点に達することが多い。したがって、アルゴリズムは、反復的かつ収束的なものとして説明される。
【００６４】
図２Ｃは、第２反復、および後続の反復の代替的な実施形態を示す。前述した反復の、位相値２１３Ａの分布は、アルゴリズムの処理ブロックを介してフィードバックされる。大きさ値２１１Ａの分布は、大きさ値の代替的な分布を優先して拒絶される。この代替実施形態では、大きさ値の代替的な分布は、前述した反復の大きさ値２１１の分布から得られる。具体的には、処理ブロック２５８は、入力画像２１０の大きさ値の分布を、前述した反復の大きさ値２１１の分布から差し引き、その差を利得係数αで拡大縮小し、拡大縮小された差を入力画像２１０から差し引く。これは以下の数式によって数学的に表され、下付きの文字および数字は、反復回数を示す。
2020013118.tif 000003
ここで、
Ｆ´は、逆フーリエ変換、
Ｆは、順フーリエ変換、
Ｒ［ｘ，ｙ］は、第３の処理ブロック２５６による複素データセット出力、
Ｔ［ｘ，ｙ］は、入力画像または対象画像、
∠は、位相成分、
Ψは、位相限定ホログラム２８０Ｂ、
ηは、大きさ値２１１Ｂの新しい分布、
αは、利得係数である。
【００６５】
利得係数αは、定数または変数であってもよい。いくつかの実施形態では、利得係数αは、入ってくる対象画像データの大きさおよび比率に基づいて決定される。いくつかの実施形態では、利得係数αは、反復回数に依存する。いくつかの実施形態では、利得係数αは、単に反復回数の関数である。
【００６６】
図２Ｃの実施形態は、他のすべての点において、図２Ａおよび図２Ｂの実施形態と同じである。位相限定ホログラムΨ（ｕ，ｖ）は、周波数領域またはフーリエ領域に、位相分布を含んでいると言ってもよい。
【００６７】
いくつかの実施形態では、フーリエ変換は、空間光変調器を用いて行われる。具体的には、ホログラムデータは、屈折力を提供する第２のデータと組み合わされる。つまり、空間光変調用に書き込まれたデータは、物体を表すホログラムデータと、レンズを表すレンズデータとを含む。空間光変調器で表示され、光で照明されると、レンズデータは物理レンズを模倣する、つまり、対応する物理的光学素子と同じ方法で光を焦点に当てる。レンズデータは、したがって、屈折力、または集束力を提供する。このような実施形態では、図１の物理フーリエ変換レンズ１２０は、省略されてもよい。レンズを表すデータを計算する方法は、計算機合成ホログラフィの分野において知られている。レンズを表すデータは、ソフトウェアレンズと呼ばれてもよい。例えば、位相限定レンズは、その屈折率のため、および光路長が空間的に異なるためにレンズの各点で生じる、位相遅延を計算することによって形成されてもよい。例えば、凸レンズの中央の光路長は、レンズの縁部の光路長よりも長い。振幅限定レンズは、フレネルゾーンプレートによって形成されてもよい。レンズを表すデータをホログラムと組み合わせる方法もまた、計算機合成ホログラフィの分野の当業者に知られており、その結果、物理フーリエレンズを必要とすることなく、ホログラムのフーリエ変換を行うことができる。いくつかの実施形態では、レンズデータは、単純なベクトル加算などの簡単な加算によって、ホログラムと結合される。いくつかの実施形態では、物理レンズがソフトウェアレンズと併用されてフーリエ変換が行われる。あるいは、他の実施形態では、ホログラフィック再構成が遠視野で行われるように、フーリエ変換レンズは完全に省略される。別の実施形態では、ホログラムは、同様の方法で回折格子データと結合される、つまりデータは、ビームステアリングなどの回折格子機能を実行するように構成される。これについても、このようなデータを計算する方法は、計算機合成ホログラフィの分野において知られている。例えば、位相限定回折格子は、ブレーズド回折格子の表面の各点で生じる、位相遅延をモデル化することによって形成されてもよい。振幅限定回折格子は、ホログラフィック再構成の角度ステアリングを行うために、単に振幅限定ホログラムに重ね合わせられてもよい。
【００６８】
いくつかの実施形態では、フーリエ変換は、物理フーリエ変換レンズと、ソフトウェアレンズとの共同によって行われる。つまり、フーリエ変換に寄与する屈折力の一部はソフトウェアレンズによって提供され、フーリエ変換に寄与する残りの屈折力は、１つまたは複数の物理光学素子によって提供される。
【００６９】
いくつかの実施形態では、画像データを受けて、アルゴリズムを用いてホログラムをリアルタイムに計算するように構成された、リアルタイムエンジンが提供される。いくつかの実施形態では、画像データは、一連の画像フレームを含む動画である。他の実施形態では、ホログラムは、予め計算され、コンピュータのメモリに記憶され、ＳＬＭに表示するために必要に応じて再現される。つまり、いくつかの実施形態では、所定のホログラムのリポジトリが提供される。
【００７０】
実施形態は、単なる例として、フーリエホログラフィ、およびＧｅｒｃｈｂｅｒｇ−Ｓａｘｔｏｎタイプのアルゴリズムに関する。本開示は、フレネルホログラフィ、ならびに点群方式に基づいたものなどの、他の技法で計算されたホログラムに同等に適用可能である。
【００７１】
光変調
【００７２】
空間光変調器は、計算機合成ホログラムを含む、回折パターンを表示するために使用されてもよい。ホログラムが位相限定ホログラムの場合は、位相を変調する空間光変調器が必要になる。ホログラムが完全複素ホログラムの場合は、位相および振幅を変調する空間光変調器が使用されてもよく、あるいは位相を変調する第１の空間光変調器と、振幅を変調する第２の空間光変調器とが使用されてもよい。
【００７３】
いくつかの実施形態では、空間光変調器の光変調素子（すなわち画素）は、液晶を含むセルである。つまり、いくつかの実施形態では、空間光変調器は、光学活性成分が液晶の、液晶装置である。各液晶セルは、複数の光変調レベルを選択的に提供するように構成される。つまり、各液晶セルは、どの時点においても、複数の可能な光変調レベルから選択された１つの光変調レベルで動作するように構成される。各液晶セルは、複数の光変調レベルから、異なる光変調レベルに動的に再構成可能である。いくつかの実施形態では、空間光変調器は、シリコン上の反射型液晶（ＬＣＯＳ）空間光変調器であるが、本開示は、この種の空間光変調器に限定されない。
【００７４】
ＬＣＯＳ装置は、（例えば、幅数センチメートルの）小開口内に、光変調素子または画素の密集配列を設ける。画素は、通常は約１０ミクロン以下なので、回折角度が数度になり、光学系を小型にすることができる。他の液晶装置の大開口を照明するよりも、ＬＣＯＳＳＬＭの小開口を適切に照明するほうが容易である。ＬＣＯＳ装置は、通常は反射型であり、つまり、ＬＣＯＳ  ＳＬＭの画素を駆動する回路は、反射面の下に埋め込むことができる。その結果、開口率が高くなる。言い換えれば、画素が密に詰まっており、画素間のデッドスペースが非常に小さいことを意味する。このことは、再生フィールドの光学ノイズが低減されるため有利である。ＬＣＯＳ  ＳＬＭはシリコンバックプレーンを使用し、利点として画素が光学的に平坦である。このことは、位相変調装置にとって特に重要である。
【００７５】
適切なＬＣＯＳ  ＳＬＭについては、図３を参照しながら、単なる例として以下で説明する。ＬＣＯＳ装置は、単一の結晶シリコン基板３０２を用いて形成される。これは、平面形状が正方形のアルミニウム電極３０１の２Ｄ配列を有し、アルミニウム電極３０１はギャップ３０１ａで離間され、基板の上面に配置されている。各電極３０１は、基板３０２に埋め込まれた回路３０２ａを介してアドレスすることができる。各電極は、それぞれの平坦なミラーを形成する。配向層３０３が電極の配列上に置かれ、液晶層３０４が配向層３０３上に置かれる。第２の配向層３０５は、ガラスなどの平坦な透明層３０６上に置かれる。ＩＴＯなどの単一の透明電極３０７は、透明層３０６と、第２の配向層３０５との間に置かれる。
【００７６】
各方形電極３０１は、透明電極３０７の上方の領域と、介在する液晶材料とともに、しばしば画素と呼ばれる、制御可能な位相変調素子３０８を画定する。有効画素領域、すなわちフィルファクタは、画素同士の間の空間３０１ａを考慮に入れた、光学活性な総画素の割合である。透明電極３０７に対して、各電極３０１に印加される電圧を制御することによって、各位相変調素子の液晶材料の特性が変化する場合があり、これによって入射光に可変遅延がもたらされる。この効果は、波面に位相限定変調をもたらすものであり、すなわち振幅効果は生じない。
【００７７】
説明したＬＣＯＳ  ＳＬＭは、空間的に変調された光を反射させて出力する。反射型ＬＣＯＳ  ＳＬＭには、信号線、ゲート線、およびトランジスタが鏡面の下方にあることによって、フィルファクタが高く（通常は９０％よりも高い）、かつ解像度が高くなるという利点がある。反射型ＬＣＯＳ空間光変調器を使用することの別の利点は、液晶層の厚さを、透過装置が用いられた場合に必要な厚さの半分にできることである。これにより、液晶のスイッチング速度が飛躍的に向上する（動画を投影するための大きな利点となる）。しかしながら、本開示の教示は、透過型ＬＣＯＳ  ＳＬＭを使用して同等に実施されてもよい。
【００７８】
ヘッドアップディスプレイ
【００７９】
図４は、車などの乗物内にあるＨＵＤを示す。乗物のフロントガラス４３０、およびボンネット（またはフード）４３５が、図４に示されている。ＨＵＤは、画像生成ユニット「ＰＧＵ」４１０と、光学系４２０とを備える。図４に示す光学系４２０は、単なる例として、２つのミラーを備える。本開示は、ミラーが１つのみの場合を含む、任意の数のミラーを備える光学系に同等に適用可能である。
【００８０】
ＰＧＵ４１０は、光源と、受光面と、画像の画像内容をコンピュータ制御するように構成されたプロセッサ（またはコンピュータ）とを備える。ＰＧＵ４１０は、受光面に画像、または画像シーケンスを生成するように構成される。受光面は、スクリーン、またはディフューザであってもよい。いくつかの実施形態では、受光面はプラスチックである（つまり、プラスチック製である）。
【００８１】
光学系４２０は、入力ポートと、出力ポートと、第１のミラー４２１と、第２のミラー４２２とを備える。第１のミラー４２１、および第２のミラー４２２は、光学系の入力ポートから光学系の出力ポートへ光を導くように構成される。より詳細には、第２のミラー４２２は、ＰＧＵ４１０から画像の光を受けるように構成され、第１のミラー４２１は、第２のミラー４２２から画像の光を受けるように構成される。第１のミラー４２１は、受けた画像の光を出力ポートに反射するようにさらに構成される。入力ポートから出力ポートまでの光路は、したがって入力から第２のミラー４２２までの第１の光路４２３（または第１の光路成分）と、第２のミラー４２２から第１のミラー４２１までの第２の光路４２４（または第２の光路成分）とを含む。第１のミラーから出力ポートまでの第３の光路（または光路成分）があることは言うまでもないが、これについては図４で参照番号は振られていない。図４に示す光学構成は、光路の形状によって「Ｚ型」構成と呼ばれてもよい。
【００８２】
ＨＵＤは、乗物内に構成されて配置され、その結果、光学系４２０の出力ポートからきた画像の光はフロントガラス４３０に入射して、フロントガラス４３０によって、少なくとも部分的にＨＵＤのユーザ４４０に反射される。したがって、いくつかの実施形態では、光学系は、空間的に変調された光をフロントガラスから反射することによって、フロントガラスに各画像の虚像を形成するように構成される。ＨＵＤのユーザ４４０（例えば、車の運転者）は、フロントガラス４３０の画像の虚像４５０を見る。したがって、実施形態では、光学系は、乗物のフロントガラスに各画像の虚像を形成するように構成される。虚像４５０は、車のボンネット４３５に沿って下方に形成される。例えば、虚像はユーザ４４０から１〜２．５メートルの距離にあってもよい。光学系４２０の出力ポートは、車のダッシュボードの開口と位置合わせされ、その結果、画像の光は、光学系４２０と、フロントガラス４３０とによってユーザ４４０に導かれる。この構成において、フロントガラス４３０は光コンバイナとして機能する。いくつかの実施形態では、光学系は、系に含まれる別の光コンバイナに、各画像の虚像を形成するように構成される。フロントガラス４３０、または含まれる場合は別の光コンバイナは、実世界のシーンの光を画像の光と結合する。したがって、ＨＵＤは、画像の虚像を含む、拡張現実を提供し得ることは理解されよう。例えば、拡張現実情報は、ナビゲーション情報、または自動車の速度に関する情報を含んでもよい。いくつかの実施形態では、画像を形成する光は、ブリュースター角（偏光角としても知られている）で、またはブリュースター角の２度以内などブリュースター角の５度以内で、フロントガラスに入射することによって出力される。
【００８３】
いくつかの実施形態では、第１のミラー、および第２のミラーは、ＨＵＤの物理的な大きさを過度に増加させることなく光路長を長くするために、入力から出力まで光路を折り曲げるように形成される。
【００８４】
ＰＧＵ４１０の受光面に形成される画像は、幅および高さがわずか数センチメートルであってもよい。第１のミラー４２１、および第２のミラー４２２は、したがって集合的にまたは個別に、拡大を提供する。つまり、第１のミラー、および／または第２のミラーは、屈折力（つまり、屈折する能力、または焦点を合わせる能力）を有してもよい。ユーザ４４０は、したがって、ＰＧＵによって形成された画像の拡大された虚像４５０を見る。また、第１のミラー４２１、および第２のミラー４２２は、通常は複雑な曲面を有するフロントガラス４３０によって生じた歪みなどの、光学歪みを矯正してもよい。ミラーの折れ曲がった光路、および屈折力はともに、画像の虚像を適切に拡大することを可能にする。
【００８５】
本開示のＰＧＵ４１０は、ホログラフィックプロジェクタと、スクリーンまたはディフューザなどの受光面とを備える。上述した本開示によれば、ホログラフィックプロジェクタは、光源と、空間光変調器と、ホログラムプロセッサとを備える。空間光変調器は、空間光変調器に表示されたホログラムにしたがって、光を空間的に変調するように構成される。ホログラムプロセッサは、計算機合成ホログラムを提供するように構成される。いくつかの実施形態では、ホログラムプロセッサは、複数の計算機合成ホログラムを含むリポジトリ（例えば、メモリ）から、出力する計算機合成ホログラムを選択する。他の実施形態では、ホログラムプロセッサは、計算機合成ホログラムをリアルタイムに計算して出力する。いくつかの実施形態では、ＰＧＵ４１０によって形成された各画像は、受光面上のホログラフィック再構成である。つまり、いくつかの実施形態では、各画像は、受光面において空間的に変調された光の干渉を受けることによって形成される。
【００８６】
ＨＵＤにはフロントガラスまでの光路（好ましくは遮るもののない光路）が必要なために、乗物のダッシュボードは開口を有する。しかしながら、フロントガラスとＨＵＤとの間のこの光路により、太陽光４６０などの環境光も同様にＨＵＤに侵入可能になる。これにより、本明細書で説明する様々な問題が生じる。ＨＵＤはしたがって、通常は太陽光対策を有する上部ハウジング４７０をさらに備え、これについては図６および図７を参照して以下でさらに詳しく説明する。例において、第１のミラーは、赤外線を除去するように構成されたコールドミラーでもある。コールドミラーは、可視光を反射するが、赤外線（ＩＲ）の光は透過し得る。他の例では、第１のミラー４２１は、いわゆるホット／コールドミラーであり、少なくとも部分的にＩＲおよび紫外線（ＵＶ）の光を除去する。図５は、例示的なホット／コールドミラーの反射（ｙ軸）を、光波長（ｘ軸）の関数として示す。
【００８７】
図６Ａは、フロントガラス６３０とダッシュボード６８０とを備える乗物の、ヘッドアップディスプレイの光学系を含む、下部（または第１の）ハウジング６２５を示す。下部ハウジングは、少なくとも光学系の第１のミラー６２１、ならびに図を簡素にするために図示されていない、その他の構成部品を備える。ヘッドアップディスプレイは、太陽光対策を有する上部（または第２の）ハウジング６７０を含む。具体的には、上部ハウジング６７０は、光トラップ６７４と、カバーガラス６７２とを備える。カバーガラス６７２は反射性で、一般に放物線状に、または楕円形に湾曲している。太陽光対策の機能については、図６Ｂを参照すればよりよく理解されよう。
【００８８】
図６Ｂは、ヘッドアップディスプレイのいわゆるアイボックス６９０を示し、これは、ＨＵＤ画像（画像の虚像）が表示され得る空間領域である。見る人がアイボックスの中をのぞくと、ＨＵＤ画像が見える。見る人がアイボックスをのぞいていない場合は、ＨＵＤ画像は見えない。アイボックス６９０は、運転者の背丈が高くても低くても十分に適応することができ、運転中に平常通りに頭を動かすことができる。図６Ｂは、ＨＵＤ画像を形成する、下部ハウジング６２５からくる光線を収容する、体積６８５を示す。また、図６Ｂは、フロントガラス６３０を通過してカバーガラス６７２に到達する太陽光線Ａなどの太陽光線が、フロントガラスの内面に反射して運転者の目に入らないように、カバーガラス６７２が湾曲していることを示す。従来は、カバーガラス６７２の曲率は、カバーガラス６７２、およびフロントガラスの内面から反射した太陽光線Ａなどの太陽光線が、図６Ｂに示すように、運転者の胸部領域に向かって下方に導かれるような曲率である。フロントガラスの内面からの反射は、４％未満であっても（フロントガラスがコーティングされていれば、おそらくわずか０．１％であっても）、ＨＵＤにおいては、太陽光のピーク強度によってこのような反射が問題になることは理解されよう。カバーガラス６７２を湾曲させることにより、製造時の複雑性が増し、ＨＵＤの体積が増加する。
【００８９】
上部ハウジングの第２の構成部品は、光トラップ６７４である。光トラップ６７４は、ＨＵＤの他の構成部品を太陽光からいくらか遮断する、物理的なバッフルである。特に、光トラップ６７４は、通常は、比較的浅い太陽光（つまり、日没付近など太陽が空の比較的低い位置にあるとき、例えば太陽光線Ｂ）を遮断し、その結果、太陽光がカバーガラス６７２に到達することはない。
【００９０】
図７は、カバーガラス７７２Ａがほぼ平坦で、湾曲したカバーガラスの曲率を模倣または複製した層７７２Ｂが設けられている、本開示の実施形態を示す。つまり、層７７２Ｂは、カバーガラス６７２などの湾曲したカバーガラスと同等の、または同一の光学機能を提供する。層７７２Ｂは、カバーガラス７７２Ａ上に配置された平坦な層であってもよく、あるいは層７７２Ｂは、カバーガラス７７２Ａの構造化表面層であってもよい。カバーガラス７７２Ａの構造化表面層は、例えば、加工、プレス、エッチングなどを行って、カバーガラス７７２Ａの表面を処理することによって形成されてもよい。カバーガラス７７２Ａと層７７２Ｂとは、一体であってもよい。カバーガラス７７２Ａと層７７２Ｂとは、一体的に形成されてもよい。このような実施形態では、カバーガラス７７２Ａが層７７２Ｂを含むと言ってもよい。あるいは、層７７２Ｂは、カバーガラス７７２Ａと一体化されなくてもよい。層７７２Ｂは、カバーガラス７７２Ａに取り付けられた、または固定された、個別に形成された部品であってもよい。いくつかの実施形態では、層７７２Ｂは、カバーガラス７７２Ａのコーティングである。構造化表面層は、裸眼では見えないという特徴を有していてもよい。いくつかの実施形態では、層７７２Ｂは、受けた太陽光を回折または屈折させることによって、湾曲したカバーガラスの湾曲の機能を提供する。つまり、層７７２Ｂは、回折し、反射し、かつ／または屈折する構造になっている。カバーガラス６７２はガラスと呼ばれているが、かならずしもガラス製でなくともよいことは理解されよう。より一般的には、カバーガラス７７２Ａは、光波長においてほぼ透明な光学窓である。
【００９１】
層７７２Ｂは主として、比較的大きい仰角を有する太陽光の反射によって生じる可能性がある問題を軽減するように構成される。このような太陽光は、カバーガラスで反射してから光コンバイナの内面で反射して、アイボックスの中に入る場合がある。仰角とは、光線が地平線に対してなす角度である。層７７２Ｂは通常、閾値仰角よりも大きい仰角を有する第１の太陽光線を処理するために配置される。より詳細には、層７７２Ｂは、カバーガラス７７２Ａで反射してから光コンバイナ６３０で反射した太陽光線を偏向させて、アイボックスと交差しないようにするために配置される。光トラップ６７４は通常、比較的小さい仰角を有する太陽光線によって生じる可能性がある問題を軽減するように構成される。より詳細には、光トラップ６７４は通常、閾値仰角よりも小さい仰角を有する、第２の太陽光線を処理するように構成される。光トラップ６７４は、ＨＵＤ画像を形成する、下部ハウジング６２５からくる光線を収容する体積６８５を遮断することなく、カバーガラス７７２Ａを太陽光から可能な限り遮蔽する。反射した太陽光の影響を軽減するために層７７２Ｂに課される要件を最小化する目的で、光トラップ６７４の大きさを最大にすることが優先されてもよい。いくつかの実施形態では、光トラップ６７４とカバーガラス６７２とはほぼ隣接している、または結合されている、あるいはほぼ連続した構造を形成している。光トラップ６７４、およびカバーガラス６７２の大きさ、形状、および位置によって、乗物、ダッシュボード、およびアイボックスのパラメータの大半が決定される。個々の使用事例に応じて、カバーガラス６７２、光トラップ６７４、および層７７２Ｂの臨界パラメータを決定するために、光線追跡が使用される。実際には、第２のハウジングには重大な要件が課され、広範な角度にわたって入射する太陽光の反射を処理しなければならない。層７７２Ｂによって、カバーガラス７７２Ａで反射してアイボックスの中に入る、太陽光の直接的または間接的な光線路を確実になくす。
【００９２】
いくつかの実施形態では、層７７２Ｂは、ホログラムである。ホログラムは、媒体内で固定されたホログラフィック記録であってもよく、画像生成ユニットの空間光変調器に表示される、動的に再構成可能なホログラムと混同されるべきではない。ホログラフィック記録媒体は、フォトポリマー、またはハロゲン化銀乳剤であってもよい。ハロゲン化銀乳剤は、位相ホログラフィ用に漂白されてもよい。ホログラフィック記録媒体は、重クロム酸ゼラチンであってもよい。ホログラムは、薄いホログラム、または厚いホログラムであってもよい。あるいは、ホログラムは、スイッチ可能なブラッグ回折格子（ｓｗｉｔｃｈａｂｌｅ  Ｂｒａｇｇ  ｇｒａｔｉｎｇ）、またはスイッチ可能な体積ホログラフィック素子であってもよい。ホログラムを計算機合成する、または光学的に記録する方法が当業者には知られており、これは、所定の方法で光の軌跡を変更する、または光のビームをステアリングするものである。いくつかの実施形態では、ホログラムは上述したようにビームステアリング機能を備え、例えば、光をステアリングするために空間光変調器に表示可能な、回折格子機能がある。計算機合成ホログラフィでは、偏向の大きさおよび方向を決定するために、周期および配向などの回折格子のパラメータを、例えば、計算または厳選して、選択する方法が確立されている。ビームステアリング機能は、標準的な回折格子、ロンキー格子（Ｒｏｎｃｈｉ  ｇｒａｔｉｎｇ）、またはプリズムであってもよい。より詳細には、ビームステアリング機能は、標準的な回折格子、ロンキー格子、またはプリズムに対応する、光変調レベルの分布である。つまり、ホログラムは、標準的な回折格子、ロンキー格子、またはプリズムの光学機能を提供する、ビームステアリング機能である。
【００９３】
いくつかの実施形態では、層７７２Ｂは、曲面に対応するフレネル構造である。いくつかの実施形態では、フレネル構造は凹面に対応する。フレネル構造は、フレネル回折パターンであってもよい。曲面に対応する（つまり、光学機能を提供する）フレネル構造を形成する方法は、当業者に知られている。フレネル構造は、必要な偏向の大きさに基づいて計算される。フレネル構造は、必要な偏向の方向を与えるように配向される。フレネル構造は、例えば、成形およびプレスによってプラスチックのカバーガラスに形成された、構造化表面パターンであってもよい。
【００９４】
いくつかの実施形態では、層７７２Ｂは、サブ波長誘電構造体、およびサブ波長金属構造体の、サブ波長周期配列を含むメタマテリアルである。所定の方法で光の軌跡を変化させるメタマテリアルを設計する方法は、当業者には知られている。
【００９５】
いくつかの実施形態では、層７７２Ｂは、その中心からの距離によって屈折率が異なる、屈折率分布層である。光学設計の当業者であれば、光を所定の量で偏向させるための、屈折率分布層の設計方法を知っているであろう。
【００９６】
いくつかの実施形態では、空間光変調器に表示される計算機合成ホログラムは、層７７２Ｂの光学的効果を相殺する、ソフトウェアレンズと組み合わされる。いくつかの実施形態では、層７７２Ｂは、正の屈折力または負の屈折力などの屈折力を有し、ソフトウェアレンズは、層７７２Ｂの屈折力を相殺する屈折力を有する。
【００９７】
いくつかの実施形態では、２つの層が設けられる。例えば、２つの層は、カバーガラスの２つの表面層であってもよい。より詳細には、いくつかの実施形態では、カバーガラスはほぼ平坦であり、第１の主面、および第２の主面（最大の表面積を有する２つの表面／面）を有し、そのそれぞれが、本明細書に記載されている通りに、光を偏向させるように構成された層を有する。いくつかの実施形態では、２つの層は、同じ凹面に対応するフレネル構造を有する。いくつかの実施形態では、カバーガラス７７２Ａは、太陽光を受けるように構成された第１の構造化表面層と、画像の光を受けるように構成された第２の構造化表面層とを有する。第１の構造化表面層、および第２の構造化表面層は、同じ凹面に対応するフレネル構造である。カバーガラス７７２Ａは、したがって平行に対面する。このことは２つの理由で有利であり、第一に、カバーガラス７７２Ａの両面がアイボックス６９０に向けて太陽光を反射する場合があるため、両面に屈折力があれば有利であり、第二に、２つのフレネル面は同等でかつ対向しており、その結果、カバーガラス７７２ＡがＨＵＤ画像に影響を及ぼすことがなく、これは、第１のフレネル面が第２のフレネル面によって相殺されるように、層が十分に薄いためである。言い換えれば、カバーガラス７７２Ａは、薄くかつ平行に対面しているために、屈折力を有していない。
【００９８】
図８Ａは、いくつかの実施形態による、２つの構造化表面を有する、第１の例示的なフレネル構造を示す。図８Ａに示す、各フレネル面（上面および下面）の周期性ｐは一定であるが、受光面の傾斜は、曲面を模して左から右へと増加する。図８Ｂは、いくつかの実施形態による、２つの構造化表面を有する、第２の例示的なフレネル構造を示す。図８Ｂに示す、各フレネル面（上面および下面）の高さｈは一定であるが、受光面の傾斜は、これも曲面を模して左から右へと増加する。図８Ａおよび図８Ｂでは、上方から太陽光を受けるので、各構造化表面は凹面に対応する。各フレネル面の周期性は、０．１ｍｍオーダーであってもよい。各フレネル面の高さは、０．０１ｍｍオーダーであってもよい。このような構造を作成する方法は当技術分野では知られており、必要とされる効果的な曲面を実現するために各フレネル構造の周期性および高さを設計する方法は、当業者には理解されよう。図８Ａおよび図８Ｂに示すフレネル構造は、カバーガラス７７２Ａ上に配置された層７７２Ｂであってもよい。しかしながら、好ましい構成では、カバーガラス７７２Ａは、図示されている２つの構造化表面層を有するように加工される。特に、間隔が密な平行面を提供することによって、提供された構造によってＨＵＤ画像が歪むことがないようにすることができる。
【００９９】
これに代えて、またはこれに加えて、層７７２Ｂは、画像の光の波長を透過し、他の光波長の光を反射するように設計されてもよい。当業者には理解されるように、これは、本来は反射性の構造に、透過用切り欠きなどの「切り欠き」を画像の光の波長で設けることによって実現することができる。特に、いくつかの実施形態では、画像の光は、赤色、緑色、および／または青色のレーザー光を含む。このような実施形態では、層７７２Ｂが、レーザーライン選択フィルタ機能を有しているとも言える。つまり、層７７２Ｂは、レーザーライン選択フィルタリングを提供するように構成される。あるいは、層７７２Ｂが、レーザーライン選択フィルタを備えているとも言える。さらに、フィルタは、画像の光が受光される角度に設計されてもよい。つまり、レーザーライン選択フィルタリングは、第１の入射角度範囲で受けられたレーザーライン波長を透過させることを含む。レーザーライン選択フィルタリングは、第１の範囲の範囲外の角度で受けたレーザーライン波長を反射または吸収することを含んでもよい。いくつかの実施形態では、レーザーライン選択フィルタリングは、第２の角度範囲で受けた、他の波長の光（非レーザーライン波長）を反射することを含んでもよく、第２の角度範囲は、可能な太陽光の角度範囲に相当する。いくつかの実施形態では、層は、波長選択フィルタリング、および角度選択フィルタリングをさらに含む。いくつかの実施形態では、層は、本明細書で説明する機能を組み込んだ体積ホログラムを含む。
【０１００】
レーザーライン選択フィルタは、画像生成ユニットの光源の波長において選択的である。より詳細には、レーザーライン選択フィルタは、カバーガラスを通して画像を形成する光の波長では光の伝播を可能にするが、他の可視波長を含む他の光波長は除去するように構成される。レーザーライン選択フィルタがいくつかの可視波長をさらに除去するという点において、レーザーライン選択フィルタの光学性能は、コールドミラー、ホットミラー、またはホット／コールドミラーなどの光学性能とは異なっている。レーザーライン選択フィルタが透過させる帯域が狭いという点においても、レーザーライン選択的フィルタの光学性能は、コールドミラー、またはホット／コールドミラーの光学性能とは異なっている。いくつかの実施形態では、レーザーライン選択フィルタは、中心波長を中心とし、１５ｎｍ未満、または５ｎｍ未満など、３０ｎｍ未満の半値全波の波長帯の範囲内で透過する。
【０１０１】
いくつかの実施形態では、画像生成ユニットは、第１の波長で光を放射するように構成された光源を備える。画像生成ユニットは、空間光変調器をさらに備え、空間光変調器は、光源から光を受け、空間光変調器に表示される計算機合成ホログラムにしたがって空間的に変調された光を出力して、対応する画像を受光面に形成するように構成される。いくつかの実施形態では、層７７２Ｂは、第１の波長において選択的な、レーザーライン選択フィルタを備える。いくつかの実施形態では、レーザーライン選択的な構成要素は、層の他の構成要素のコーティング、またはカバーガラスのコーティングである。
【０１０２】
いくつかの実施形態では、レーザーライン選択フィルタは、第１の波長においてほぼ透過性であり、他の光波長においては、例えば反射性であって、ほぼ非透過性である。いくつかの実施形態では、レーザーライン選択フィルタは、第１の波長、第２の波長、および第３の波長においてほぼ透過性であり、他の光波長においては、例えば反射性であって、ほぼ非透過性であり、第１、第２、および第３の波長は、画像の光の波長である。
【０１０３】
いくつかの実施形態では、ＨＵＤは、多色ディスプレイを提供する。このような実施形態では、画像生成ユニットは、第２の光源と、第２の空間光変調器と、第３の光源と、第３の空間光変調器とをさらに備える。第２の光源は、第２の波長で光を放射するように構成される。第２の空間光変調器は、第２の光源から第２の波長で光を受け、第２の空間光変調器に表示される第２の計算機合成ホログラムにしたがって、第２の空間変調光を出力して、対応する第２の画像を受光面に形成するように構成される。第３の光源は、第３の波長で光を放射するように構成される。第３の空間光変調器は、第３の光源から第３の波長で光を受け、第３の空間光変調器に表示される第３の計算機合成ホログラムにしたがって、第３の空間変調光を出力して、対応する第３の画像を受光面に形成するように構成される。
【０１０４】
いくつかの実施形態では、ＨＵＤは、混成色ディスプレイを提供する。このような実施形態では、画像と、第２の画像と、第３の画像とはほぼ一致し、光学系は、画像、第１の画像、および第２の画像を画像化するように構成される。いくつかの実施形態では、光学系は、画像、第１の画像、および第２の画像を同時に画像化するように構成される。画像の光は、複数の波長の光を含むと言ってもよい。
【０１０５】
いくつかの実施形態では、ＨＵＤは、ＲＧＢカラーディスプレイを提供し、第１の波長は４２５＋／−２０ｎｍ、第２の波長は５２５＋／−２０ｎｍ、そして第３の波長は６４０＋／−２０ｎｍである。
【０１０６】
いくつかの実施形態では、各光源は、ほぼ単色の光を放射し、任意で、各光源はレーザーである。このような実施形態が、レーザーライン選択フィルタリングとの相乗効果をもたらすことは理解されよう。いくつかの実施形態では、各レーザーによって放射された光の中心波長は、レーザーライン選択フィルタの中心波長と一致する。
【０１０７】
いくつかの実施形態では、層７７２Ｂは、偏光選択フィルタ機能をさらに備える。つまり、層７７２Ｂは、偏光選択フィルタリングを提供するように構成される。あるいは、層７７２Ｂが偏光選択フィルタを備えているとも言える。偏光選択フィルタは、レーザーライン選択フィルタの代わりに、あるいはレーザーライン選択フィルタに加えて備えられてもよい。いくつかの実施形態では、偏光選択フィルタは、ワイヤーグリッド偏光子である。
【０１０８】
偏光選択フィルタは、光学系を介して、画像の光（つまり、画像を形成する光）を含む、第１の方向に偏光された光の伝播を可能にするように構成される。偏光選択フィルタは、第２の方向に偏光された光を除去する（すなわち光学系から除去する）ように、または第２の方向に偏光される、非偏光の光の成分を除去するように構成され、第１の方向は、第２の方向に対して垂直である。例えば、偏光選択フィルタ８０１は、第２の方向に偏光された光を吸収し得る。ここでも、いくつかの実施形態では、第１のハウジングによって出力される画像を形成する光は、ブリュースター角（偏光角としても知られている）で、またはブリュースター角の２度以内などブリュースター角の５度以内で、フロントガラスに入射する。このような実施形態では、フロントガラスは、第１の方向に偏光されたほぼすべての光を反射することは理解されよう。言い換えれば、第１の方向とは、光学系から画像を形成するほぼすべての（偏光された）光が、フロントガラスによって反射されるような方向である。「ほぼ」という言葉は、ブリュースター角に近い角度でフロントガラスに光が入射する例において、完全な偏光分離が達成されない場合があることを表すために使用されている。いくつかの実施形態では、光は、６０〜７０度など、５５〜７５度の角度でフロントガラスに入射する。このような実施形態では、光源は、第１の方向に偏光された光を放射し、かつ任意に第１の波長で放射するように構成される。いくつかの実施形態では、偏光選択的な構成要素は、層の他の構成要素のコーティング、またはカバーガラスのコーティングである。
【０１０９】
いくつかの実施形態では、偏光選択フィルタは、第１の方向に偏光された光に対してほぼ透過性であり、第２の方向に偏光された光に対してほぼ非透過性であり、第１の方向は、第２の方向に対して垂直である。
【０１１０】
偏光選択フィルタは、上述したように、単色画像を提供するディスプレイ、または多色画像を提供するディスプレイに組み込まれてもよい。偏光選択フィルタの光学性能は、波長依存型であってもよいことは理解されよう。例えば、偏光選択フィルタは、１つの波長の範囲内でのみ、または複数の波長の範囲内でのみ、偏光選択的であってもよい。実施形態では、上述したように、画像の光は複数の波長の光を含む。偏光選択フィルタは、複数の波長において偏光選択的である。いくつかの実施形態では、偏光選択フィルタは、第１の波長、第２の波長、および第３の波長において偏光選択的である。レーザーライン選択フィルタと同様に、偏光選択フィルタは、中心波長、またはフィルタリングが最適化される波長を有してもよいことは理解されよう。中心波長、または波長は、上述したような帯域を含んでもよい。
【０１１１】
説明されている実施形態から、層は光選択フィルタを提供することが理解されよう。光選択フィルタリングは、レーザーライン選択フィルタリング、および／または偏光選択フィルタリングを含んでもよい。
【０１１２】
いくつかの実施形態では、フロントガラスを光コンバイナとして使用するが、光コンバイナは代替的に、ダッシュボードの上などフロントガラスの前方にある、ポップアップ光コンバイナであってもよい。
【０１１３】
付加機能
【０１１４】
実施形態では、単なる例として、電気的に作動するＬＣＯＳ空間光変調器に言及する。本開示の教示は、例えば、任意の電気的に作動するＳＬＭ、光学的に作動するＳＬＭ、デジタルマイクロミラー装置、またはマイクロ電気機械装置などの、本開示による計算機合成ホログラムを表示できる任意の空間光変調器で、同等に実施されてもよい。
【図１】
2020013118.tif 000004
【図２Ａ】
2020013118.tif 000005
【図２Ｂ】
2020013118.tif 000006
【図２Ｃ】
2020013118.tif 000007
【図３】
2020013118.tif 000008
【図４】
2020013118.tif 000009
【図５】
2020013118.tif 000010
【図６Ａ】
2020013118.tif 000011
【図６Ｂ】
2020013118.tif 000012
【図７】
2020013118.tif 000013
【図８Ａ】
2020013118.tif 000014
【図８Ｂ】
2020013118.tif 000015
【外国語明細書】
2020013118000001.pdf